(57)【要約】【課題】種子を鳥や風から保護することができるとともに、植物の成長を阻害せず、生育時の相互干渉も防ぐことができる農業用部材、及び、その農業用部材を作製できる農業用部材作製セットを提供する。【解決手段】第１の基材１と第２の基材２とが貼り合わされ、両基材１，２の間に種子３が配置された農業用部材１０であって、それぞれの基材１，２を、生分解性速度が異なる生分解性樹脂で形成して上記課題を解決する。土壌の反対側に配置される基材の生分解速度が土壌側に配置される基材の生分解速度よりも速いことが好ましい。また、第１の基材１と第２の基材２とを別部材として有し、両基材１，２間に種子３を配置した後に両基材１，２を貼り合わせて使用するための農業用部材作製セット２０であって、それぞれの基材１，２を、生分解性速度が異なる生分解性樹脂で形成して上記課題を解決する。【選択図】図１
2016015940.tif 000002
【特許請求の範囲】
【請求項１】
第１の基材と第２の基材とが貼り合わされ、前記第１の基材と前記第２の基材との間に種子が配置された農業用部材であって、
前記第１の基材及び前記第２の基材は、生分解性速度が異なる生分解性樹脂でそれぞれ形成されていることを特徴とする農業用部材。
【請求項２】
前記第１の基材及び前記第２の基材のうち、土壌の反対側に配置される基材の生分解速度が土壌側に配置される基材の生分解速度よりも速い、請求項１に記載の農業用部材。
【請求項３】
前記種子を配置する凹部が、前記土壌側の基材に設けられている、請求項２に記載の農業用部材。
【請求項４】
前記種子の生育剤が、前記凹部内に入っている、請求項３に記載の農業用部材。
【請求項５】
第１の基材と第２の基材とを別部材として有し、前記第１の基材と前記第２の基材との間に種子を配置した後に前記第１の基材と前記第２の基材とを貼り合わせて使用するための農業用部材作製セットであって、
前記第１の基材及び前記第２の基材は、生分解性速度が異なる生分解性樹脂でそれぞれ形成されていることを特徴とする農業用部材作製セット。
【請求項６】
前記第１の基材及び前記第２の基材のうち、土壌の反対側に配置される基材の生分解速度が土壌側に配置される基材の生分解速度よりも速い、請求項５に記載の農業用部材作製セット。
【請求項７】
前記種子を配置する凹部が、前記土壌側の基材に設けられている、請求項６に記載の農業用部材作製セット。
【請求項８】
前記凹部内に入れて前記種子を生育させるための生育剤を備える、請求項７に記載の農業用部材作製セット。
【発明の詳細な説明】
【技術分野】
【０００１】
本発明は、広い面積に所定間隔で配置した種子を鳥や風から保護することができるとともに、植物の成長に伴う相互干渉を防ぐことができる農業用部材、及びそうした農業用部材を作製できる農業用部材作製セットに関する。
【背景技術】
【０００２】
植物の種子を装着した種々のシートが知られている。例えば特許文献１には、畑作物の栽培や、土木工事における法面の緑化工事、芝地の育成等に使用できて、その播種や育成に要する労力を大幅に軽減できるようにした播種・育成用シートが提案されている。このシートは、所定幅の紙製の長尺シートに、植物の種子を所要の分布密度を以て筋播状乃至ばら播状に添着させた構成とし、必要に応じて、長尺シートに保水性シートを貼り合わせたり、凹凸を設けてもよいというものである。
【０００３】
また、特許文献２には、法面、傾斜地、平坦地等の土壌の安定化や緑化を簡単に図ることができる植栽シートが提案されている。このシートは、シート面に凹凸部、及び先端側が小さな筒状部が形成されたシートであって、前記シートは植物性材料から構成されてなるものである。
【０００４】
また、特許文献３には、従来の水稲直播きは大型機械で種子を植えるのが主流で、他に種子等を装着したシートを敷き詰める等の方法もあるが、費用や収量の不確実性等で普及定着はしていないという課題を解決した小幅のマルチシートが提案されている。このマルチシートは、あらかじめ時期や方向を指定して作用させるようにセットした種子・薬品等を装着し、田圃に敷くことにより直播きをするというものである。
【先行技術文献】
【特許文献】
【０００５】
【特許文献１】実開平６−６０３０６号公報
【特許文献２】特開平１１−９０１４号公報
【特許文献３】特開２００８−１８８００１号公報
【発明の概要】
【発明が解決しようとする課題】
【０００６】
しかしながら、特許文献１で提案された播種・育成用シートは、種子を散布するだけで窪みに配置しにくいという難点がある。また、特許文献２で提案された植栽シートは、シート上面が保護されていないので鳥や風から保護することができないという難点がある。また、特許文献３で提案されたマルチシートは、シートの窪みに種子を差し込むので作業性が悪いという難点がある。
【０００７】
また、シートに設けられた凹部内に種子を入れただけでは、鳥や風から保護することができないため、上面を他のシートで覆うことも考えられるが、上面に設けたシートの存在によって、発芽や生育が妨げられるおそれがある。
【０００８】
本発明は、上記課題を解決するためになされたものであって、その目的は、種子を鳥や風から保護することができるとともに、植物の成長を阻害せず、生育時の相互干渉も防ぐことができる農業用部材を提供すること、及び、その農業用部材を作製できる農業用部材作製セットを提供することにある。
【課題を解決するための手段】
【０００９】
（１）上記課題を解決するための本発明に係る農業用部材は、第１の基材と第２の基材とが貼り合わされ、前記第１の基材と前記第２の基材との間に種子が配置された農業用部材であって、前記第１の基材及び前記第２の基材は、生分解性速度が異なる生分解性樹脂でそれぞれ形成されていることを特徴とする。
【００１０】
本発明に係る農業用部材において、前記第１の基材及び前記第２の基材のうち、土壌の反対側に配置される基材の生分解速度が土壌側に配置される基材の生分解速度よりも速いように構成できる。
【００１１】
本発明に係る農業用部材において、前記種子を配置する凹部が、前記土壌側の基材に設けられているように構成できる。
【００１２】
本発明に係る農業用部材において、前記種子の生育剤が、前記凹部内に入っているように構成できる。
【００１３】
（２）上記課題を解決するための本発明に係る農業用部材作製セットは、第１の基材と第２の基材とを別部材として有し、前記第１の基材と前記第２の基材との間に種子を配置した後に前記第１の基材と前記第２の基材とを貼り合わせて使用するための農業用部材作製セットであって、前記第１の基材及び前記第２の基材は、生分解性速度が異なる生分解性樹脂でそれぞれ形成されていることを特徴とする。
【００１４】
本発明に係る農業用部材作製セットにおいて、前記第１の基材及び前記第２の基材のうち、土壌の反対側に配置される基材の生分解速度が土壌側に配置される基材の生分解速度よりも速いように構成できる。
【００１５】
本発明に係る農業用部材作製セットにおいて、前記種子を配置する凹部が、前記土壌側の基材に設けられているように構成できる。
【００１６】
本発明に係る農業用部材作製セットにおいて、前記凹部内に入れて前記種子を生育させるための生育剤を備えるように構成できる。
【発明の効果】
【００１７】
本発明に係る農業用部材によれば、種子を鳥や風から保護することができるとともに、植物の成長を阻害せず、生育時の相互干渉も防ぐことができる。また、本発明に係る農業用部材作製セットによれば、上記農業用部材を容易に作製することができる。
【図面の簡単な説明】
【００１８】
【図１】本発明に係る農業用部材の一例を示す断面構成図である。
【図２】本発明に係る農業用部材の他の一例を示す断面構成図である。
【図３】本発明に係る農業用部材作製セットと、その農業用部材作製セットで農業用部材の作製方法を示す説明図である。
【発明を実施するための形態】
【００１９】
以下、本発明に係る農業用部材の実施の形態について詳細に説明する。本発明は以下の実施の形態に限定されるものではなく、その要旨の範囲内で種々変形して実施することができる。
【００２０】
［農業用部材］
本発明に係る農業用部材１０は、図１及び図２に示すように、第１の基材１と第２の基材２とが貼り合わされ、第１の基材１と第２の基材２との間に種子３が配置された農業用部材である。そして、第１の基材１及び第２の基材２は、生分解性速度が異なる生分解性樹脂でそれぞれ形成されている。
【００２１】
この農業用部材１０は、第１の基材１の生分解速度と第２の基材２の生分解速度とが異なるので、生分解速度が速い基材を上側にするか下側にするかによって、発芽の成長又は根の成長を妨げるのを防ぐことができる。また、種子３が上下の基材１，２の間に設けられているので、農業用部材１０の輸送中や敷設中における種子３の脱落を防ぐことができるとともに、農業用部材１０を敷設した後における種子３を鳥や風から保護することができる。
【００２２】
農業用部材１０の構成要素をさらに詳しく説明する。
【００２３】
（第１の基材と第２の基材）
第１の基材１及び第２の基材２は、生分解性速度が異なる生分解性樹脂でそれぞれ形成されている。第１の基材１及び第２の基材２のうち、（ア）土壌の反対側（上側。以下同じ。）に配置される基材の生分解速度が、土壌側（下側。以下同じ。）に配置される基材の生分解速度よりも速くてもよいし、（イ）土壌側（下側）に配置される基材の生分解速度が、土壌の反対側（上側）に配置される基材の生分解速度よりも速くしてもよい。上記（ア）の場合は、上側の基材が早く分解するので、発芽の成長を妨げるのを防ぐことができ、上記（イ）の場合は、下側の基材が早く分解するので、根の成長を妨げるのを防ぐことができる。
【００２４】
生分解性樹脂の生分解速度は、構成する樹脂材料の種類や配合量によって調整できる。そうした生分解性樹脂には、生分解速度が速いものや遅いものがある。本発明では、生分解速度の異なる生分解性樹脂をそのまま適用したり、所定の配合量で混合したりして、第１の基材１や第２の基材２を構成する。
【００２５】
生分解速度が速い生分解性樹脂としては、微生物が生成するポリエステル樹脂が好ましい。微生物が生成するポリエステル樹脂としては、３−ヒドロキシブチレートと３−ヒドロキシバリレートとのランダム共重合ポリエステル、３−ヒドロキシバリレートを主体とする３−ヒドロキシブチレートと３−ヒドロキシバリレートとの共重合ポリエステル、等を挙げることができる。例えば、英国ゼネカ社では、水素細菌にプロピオン酸及びグルコースを与えて発酵法で３−ヒドロキシブチレートと３−ヒドロキシバリレートとのランダム共重合ポリエステルを生産し、Ｂｉｏｐｏｌの商品名で販売している。
【００２６】
また、水素細菌に吉草酸を与えると、３−ヒドロキシバリレートの比率が９５％の共重合ポリエステルが得られ、水素細菌に炭素原として吉草酸と共に酪酸を与えると、３−ヒドロキシバリレートの比率が０〜９５％の組成範囲の共重合ポリエステルが生合成できる。３−ヒドロキシブチレートと３−ヒドロキシバリレートの共重合ポリエステルには、必要に応じて可塑剤、安定剤、無機物等を添加して使用することができる。
【００２７】
生分解速度が速い生分解性樹脂として、合成法で作られた生分解性樹脂も使用することができる。例えば、ε−カプロラクトンの開環重合により得られるポリカプロラクトンは、生分解速度が速く使用可能である。
【００２８】
生分解速度が遅い生分解性樹脂としては、脂肪族二塩基酸と二価アルコールの縮合重合により合成される各種の脂肪族ポリエステル等を挙げることができる。例えば、コハク酸、アジピン酸とエチレングリコール、１，４−ブタンジオールの縮合重合により得られるポリエチレンサクシネート、ポリエチレンアジペート、ポリテトラメチレンアジペート等の脂肪族ポリエステル等を挙げることができる。また、ポリ乳酸、ポリグリコール酸等の脂肪族ポリエステルを使用することもできる。
【００２９】
合成法で生産される他の生分解性樹脂としては、ポリビニルアルコール、ポリ−Ｌ−グルタミン酸を使用できるが、ポリビニルアルコールの場合、分子量の大きいものは分解され難く、分子量５０００〜１０００００程度でケン化度９９モル％以上のものが好ましい。
【００３０】
基材１，２間の生分解速度の差は、５倍以上、５０倍以下の範囲内であることが好ましい。この範囲内の差にすることにより、発芽から十分に茎を成長させ、あるいは根を十分に成長させることができるという利点がある。
【００３１】
基材１，２の生分解の速さは、その農業用部材１０が敷設された環境によっても異なるが、生分解速度が速い方の基材は、農業用部材１０を敷設してから１０日後から１００日後までの間に分解することが好ましい。分解が速い方の基材がこの期間内に分解することにより、例えば発芽から十分に茎を成長させ、あるいは根を十分に成長させるという利点がある。また、生分解速度が遅い方の基材は、農業用部材１０を敷設してから５０日後から５００日後までの間に分解することが好ましい。分解が遅い方の基材がこの期間内に分解することにより、例えば作物間の干渉を防いで十分に成長させ、あるいは鳥獣の被害から作物を保護することができるという利点がある。
【００３２】
第１の基材１や第２の基材２の厚さは特に限定されないが、５００μｍ以上、５ｍｍ以下の範囲内であることが好ましい。土壌側（下側）の基材には、種子３を配置するための凹部４が好ましく設けられている。凹部４が設けられた基材は、その凹部４の深さを考慮して厚いことが好ましく、その厚さは、１ｍｍ以上、５ｍｍ以下の範囲内であることが好ましい。
【００３３】
こうした基材１，２は、生分解性樹脂をフィルム状又はシート状に押し出し成形して得ることができる。なお、押し出し成形の加工安定性を増すために、生分解性樹脂とポリエチレン等の汎用樹脂とを共押出しし、その後に汎用樹脂を剥離してもよい。また、上側の基材を光透過性とすることにより、種子３まで光を透過させることができるので、光合成を促すようにすることができる。
【００３４】
（凹部）
凹部４は、図１及び図２に示すように、種子３を一定間隔で配置するためのものであり、土壌側（下側）の基材に設けられていることが好ましい。凹部４の形状や大きさは、種子の大きさや、その中に入れてもよい生育剤の量を考慮して設定される。凹部４の形状は、平面視で円形又は楕円形であることが好ましいが、三角形又は四角形等の多角形であってもよく、特に限定されない。一例として凹部４が平面視で円形である場合、凹部４の深さは、１００μｍ以下、１０ｍｍ以下の範囲内であり、凹部４の直径は、１ｍｍ以上、１０ｍｍ以下の範囲内であることが好ましい。また、凹部４の間隔は、成長した植物が互いに干渉しないような所定の間隔であれば特に限定されず、５０ｍｍ以上、５００ｍｍ以下の範囲内とすることができる。
【００３５】
凹部４は、基材１，２を押し出し成形する際に賦形することができる。賦形装置としては、ロールに所定の大きさの賦形突起を設けたものを用いることができる。凹部４は、この賦形装置を基材１，２の押し出し成形時に基材１，２に押し当ててエンボス加工して形成することができる。なお、図１及び図２に示す模式図では、凹部４の深さは基材１，２の厚さよりも小さくなっているが、図１及び図２の例は一つの例であり、上記したように、基材１，２の厚さと凹部４の深さや大きさとにより、図示の例に限定されず、各種の形態を示すことができる。
【００３６】
（種子）
種子３は、図１及び図２に示すように、上記した凹部４内に入っている。種子としては、小麦、稲、大豆等の食用植物、土壌の重金属やセシウム等の放射性物質を除去する能力が高いアブラナ類、トウモロコシ、フダンソウ、ほうれん草等を挙げることができる。こうした種子のうち、発芽の成長が速く、その成長を妨げないようにすることが望ましい場合は、上側の基材が早く分解することが好ましい。一方、根の成長が速く、その成長を妨げないようにすることが望ましい場合は、下側の基材が早く分解するように構成することが好ましい。
【００３７】
（生育剤）
生育剤は、図２に示すように、凹部４内に必要に応じて投入される。生育剤は、樹脂の成長を補助又は促進させるものであり、例えば、水、含水ゲル、肥料、窒素、マグネシウム等を挙げることができる。凹部４内への投入量としては、凹部４の大きさや生育剤の種類によっても異なるが、種子の重量に対して１質量％以上、１０質量％以下の程度入っていればよい。
【００３８】
（農業用部材作製セット）
農業用部材１０の作製は、図３に示すように、農業用部材作製セット２０で行うことができる。農業用部材作製セット２０は、第１の基材１と第２の基材２とを別部材として有し、第１の基材１と第２の基材２との間に種子３を配置した後に第１の基材１と第２の基材２とを貼り合わせて使用するための作製セットである。そして、第１の基材１及び第２の基材２は、生分解性速度が異なる生分解性樹脂でそれぞれ形成されている。
【００３９】
こうした農業用部材作製セット２０は、第１の基材ロール１Ａと第２の基材ロール２Ａとを少なくとも備え、必要に応じて種子３を備えていてもよいし、さらに必要に応じて生育剤４を備えていてもよい。第１の基材ロール１Ａは、第１の基材１をロール巻きしたものであり、第２の基材ロール２Ａは、第２の基材２をロール巻きしたものである。図３の例では、第１の基材１に凹部４が設けられている。第１の基材１、第２の基材２、種子３、凹部４は、上記したとおりであるのでここでの説明は省略する。
【００４０】
（農業用部材の作製方法）
農業用部材作製セット２０を用いて行う農業用部材の作製は、図３にその一例を示すように、先ず、土壌側（下側）として用いる第１の基材ロール１Ａから、凹部４が設けられた第１の基材１を供給する。その第１の基材１は、ガイドロール３１，３２で横方向に移動し、その途中に設けられた種子供給装置３５から第１の基材１上に種子３が供給される。供給された種子３は、振動装置３６によって振動して凹部４内に入る。余った種子３は、ブレード３７で第１の基材１上から除かれる。その後に、第２の基材ロール２Ａから供給された第２の基材２は、凹部４内に種子３を配置した第１の基材１上に重ね合わされ、ヒートロール３３，３４でヒートシールされる。こうして農業用部材１０を作製することができる。
【００４１】
種子供給装置３５は、図３の例では樋形状であるが、こうした形状に限定されない。また、振動装置３６も各種のものを適用することができる。また、ヒートロール３３，３４についても特に限定されないし、第１の基材１や第２の基材２のヒートシール性を任意に高める手段を適用してもよい。また、ヒートシール条件も基材１，２のヒートシール性を考慮して任意に設定できる。また、余った種子３を除去するためのブレード３７についても種々のものを適用できる。
【００４２】
なお、農業用部材１０の作製方法は、図３に例示した方法に限らず、それ以外の方法でも可能である。例えば、第１の基材ロール１Ａから繰り出される第１の基材１には予め凹部４は設けず、第１の基材１を繰り出した後に金型によってエンボス加工し、エンボス加工した第１の基材１を金型から外す前に種子３の投入と生育剤６の投入とを行い、さらにその状態で上側から第２の基材２をヒートシールし、その後に金型から外し、次の第１の基材１を繰り出して同様に操作することにより、農業用部材１０を作製してもよい。
【００４３】
以上説明したように、本発明に係る農業用部材によれば、種子を鳥や風から保護することができるとともに、植物の成長を阻害せず、生育時の相互干渉も防ぐことができる。その結果、広大な面積に容易に種子を敷設しながら、風害や鳥害で無駄になる種子を減らし、収穫効率を上げることができる。また、種子を蒔くだけでは種子同士の距離が詰まりすぎて成長するにしたがって互いに干渉し、作物の州立を下げるが本発明の農業シートによりこの問題も解決される。また、本発明に係る農業用部材作製セットによれば、上記農業用部材を容易に作製することができる。
【実施例】
【００４４】
以下、実施例により本発明をさらに詳しく説明する。
【００４５】
［実施例１］
生分解性樹脂であるアセテート樹脂からなる厚さ５００μｍの第１の基材フィルム（幅１０００ｍｍで長さ１００ｍ）のロール１Ａと、生分解性樹脂であるポリ乳酸紙からなる厚さ５００μｍの第２の基材フィルム２（幅１０００ｍｍで長さ１００ｍ）のロール２Ａを準備した。第１の基材フィルムには、直径５０ｍｍ、深さ２０ｍｍの凹部４が２００ｍｍ間隔で等間隔かつ二次元にエンボス成形されている。また、第１の基材フィルムと第２基材フィルムの生分解速度は、同一の土壌環境では第２の基材フィルムの方が速い。種子３として、直径が約５ｍｍ程度のアブラナの種子を準備し、生育剤６として、マグシウム水溶液含水ゲルを準備した。
【００４６】
農業用部材は、図３に示す方法と同様の方法で作製した。先ず、第１の基材フィルムから、凹部４が設けられた第１の基材フィルムを横方向に移動し、その途中に設けられた種子供給装置から第１の基材フィルム上に種子３を供給した。供給した種子３は、振動装置で振動して凹部４内に入り、余った種子３は、ブレードで第１の基材フィルム上から除いた。その後、凹部４内に生育剤６を入れた。次いで、第２の基材フィルムを、凹部４内に種子３及び生育剤６を入れた第１の基材フィルム上に重ね合わせ、ヒートロールでヒートシールして、図１に示す農業用部材１０を作製した。
【００４７】
作製した農業用部材１０を、第１の基材フィルム側が下になるようにして土壌中に埋設した。実験に供した土壌環境では、第２の基材フィルムは約１０日後に分解が開始し、第１の基材フィルムは約３０日後に分解が開始した。また、凹部４内の種子は、１４日後に発芽した。また、埋設から６０日後には、３０ｃｍにまで生育したが、隣り合うものとの干渉はなく、生育の妨げにもならなかった。
【００４８】
［実施例２］
第１の基材フィルムをポリ乳酸紙の生分解性樹脂で作製し、第２の基材フィルムをアセテート樹脂の生分解性樹脂で作製したものを用いた。また、第１の基材フィルムと第２基材フィルムの生分解速度は、同一の土壌環境では第１の基材フィルムの方が速い。種子３として、直径が約５ｍｍ程度のにんじんの種子を準備した。それ以外は、実施例１と同様にして実施例２の農業用部材１０を作製した。
【００４９】
作製した農業用部材１０を、第１の基材フィルム側が下になるようにして土壌中に埋設した。実験に供した土壌環境では、第１の基材フィルムは約２０日後に分解が開始し、第２の基材フィルムは約４０日後に分解が開始した。また、凹部４内の種子は、１７日後に発芽し、根も延びていた。また、埋設から６０日後には、１５ｃｍにまで生育したが、隣り合うものとの干渉はなく、生育の妨げにもならなかった。
【００５０】
［実施例３］
第１の基材フィルムをプラスターチ材料（Plastarch  Material（PSM））の生分解性樹脂で作製し、第２の基材フィルムをポリ乳酸紙の生分解性樹脂で作製したものを用いた。また、第１の基材フィルムと第２基材フィルムの生分解速度は、同一の土壌環境では第２の基材フィルムの方が速い。それ以外は、実施例１と同様にして実施例３の農業用部材１０を作製した。
【００５１】
作製した農業用部材１０を、第１の基材フィルム側が下になるようにして土壌中に埋設した。実験に供した土壌環境では、第２の基材フィルムは約１３日後に分解が開始し、第１の基材フィルムは約４０日後に分解が開始した。また、凹部４内の種子は、１６日後に発芽した。また、埋設から６０日後には、３５ｃｍにまで生育したが、隣り合うものとの干渉はなく、生育の妨げにもならなかった。
【符号の説明】
【００５２】
１  基材（第１の基材）
１Ａ  基材ロール（第１の基材ロール
２  基材（第２の基材）
２Ａ  基材ロール（第２の基材ロール）
３  種子
４  凹部
５  接着部
６  生育剤
１０，１０Ａ，１０Ｂ  農業用部材
２０  農業用部材作製セット
３０  農業用部材の作製方法
３１，３２  ガイドロール
３３，３４  ヒートロール
３５  種子供給装置
３６  振動装置
３７  ブレード
【図１】
2016015940.tif 000003
【図２】
2016015940.tif 000004
【図３】
2016015940.tif 000005